(57)【要約】【課題】壁材に形成された開口部に取り付ける点検口の取付構造であって、簡単な構造で耐久性に富み、下地材等を用いることなく容易に取り付けることができる点検口の取付構造を提供する。【解決手段】建物の点検口として設けられた開口部４の内周縁４ａに取り付ける点検口枠２と該点検口枠に着脱自在に取り付ける点検口蓋３とからなる点検口の取付構造１であり、点検口枠２は開口部４の内周縁４ａを嵌合する嵌合部１０と該嵌合部の内側縁に沿って突出した支承片１１と該支承片の表面側に鋼板１２又はマグネット２１のいずれか一方が固定されてなり、点検口蓋３は蓋部材１３と該蓋部材の外周縁に嵌合する蓋枠１４とから成り、該蓋枠の内側縁に沿って突出された係止片１７に点検口枠２の支承片１１に固定された鋼板１２又はマグネット２１に対応して磁力で吸着固定される鋼板又はマグネットのいずれか一方が固定されたものである。【選択図】図１
2007291697.tif 000002
【特許請求の範囲】
【請求項１】
建物の点検口として設けられた開口部の内周縁に取り付ける点検口枠と該点検口枠に着脱自在に取り付ける点検口蓋とからなる点検口の取付構造であり、前記点検口枠は前記開口部の内周縁を嵌合する嵌合部と該嵌合部の内側縁に沿って突出した支承片と該支承片の表面側に鋼板又はマグネットのいずれか一方が固定されてなり、前記点検口蓋は蓋部材と該蓋部材の外周縁に嵌合する蓋枠とから成り、該蓋枠の内側縁に沿って突出された係止片に前記点検口枠の支承片に固定された鋼板又はマグネットに対応して磁力で吸着固定される鋼板又はマグネットのいずれか一方が固定されたことを特徴とする点検口の取付構造。
【請求項２】
前記開口部に取り付けられた前記点検口枠と前記点検口蓋とは落下防止用紐で結合されていることを特徴とする請求項１記載の点検口の取付構造。
【発明の詳細な説明】
【技術分野】
【０００１】
本発明は、建物の壁面等に設けられた配管等を点検するための点検口の取付構造に関する。
【背景技術】
【０００２】
従来、建物の壁面等に設けられた点検口の構造としては、壁材等の開口部に蓋部材を取り付けるための枠部材を設け、この枠部材に蓋部材を開閉自在に設けたものが周知であるが、このような点検口は、枠部材を取り付けるための下地材を必要とするものである。ところが、下地材は予め四角形状に枠組みした木製等を使用し、この下地材を壁面側に配設した後、枠部材を下地材にビス止めする必要があるため、作業が煩雑になるという問題があった。
【０００３】
そこで、このような下地材を不要とした構造として、特許文献１に示す点検口枠について説明すると、図６に示すように、点検口３０の内周に設けられる支持部３１と、この支持部３１から外側方向に突設された表面側の壁材挟持板３２と、支持部３１の内側方向に突設された背面側の口蓋挟持板３３と、支持部３１から内側方向に突設されると共にヒンジ部３４を支点にして揺動可能に支持された表面側の口蓋挟持板３５と、支持部３１から外側方向に突設されると共にヒンジ部３４を支点にして揺動可能に支持された背面側の壁材挟持板３６と、上記表面側の口蓋挟持板３５及び背面側の壁材挟持板３６を嵌合位置に係脱可能に係止するフック３７及び突部３８からなる係止部を有する口枠形成体によって構成したものとされている。
【特許文献１】特開２０００−１７９１４１号公報
【発明の開示】
【発明が解決しようとする課題】
【０００４】
ところが、上記の点検口枠は、構造が複雑であるうえ、表面側と背面側にヒンジ部３４を有するものであり、夫々のヒンジ部３４の具体的な構造とされているものは、可撓性を有する素材によって形成されるか、ヒンジ部３４を薄肉に形成することにより口蓋挟持板３３、３５及び壁材挟持板３２、３６を揺動可能に支持する構造としてあるため、ヒンジ部３４の耐久性に欠けるという欠点があった。
【０００５】
本発明は、上記の事情に鑑みてなされたもので、建築物の壁材等に形成された開口部に取り付ける点検口の取付構造であって、簡単な構造で耐久性に富み、下地材等を用いることなく容易に取り付けることができる点検口の取付構造を提供することを目的とする。
【課題を解決するための手段】
【０００６】
上記の目的を達成するために、本発明における請求項１の点検口の取付構造は、建物の点検口として設けられた開口部の内周縁に取り付ける点検口枠と該点検口枠に着脱自在に取り付ける点検口蓋とからなる点検口の取付構造であり、前記点検口枠は前記開口部の内周縁を嵌合する嵌合部と該嵌合部の内側縁に沿って突出した支承片と該支承片の表面側に鋼板又はマグネットのいずれか一方が固定されてなり、前記点検口蓋は蓋部材と該蓋部材の外周縁に嵌合する蓋枠とから成り、該蓋枠の内側縁に沿って突出された係止片に前記点検口枠の支承片に固定された鋼板又はマグネットに対応して磁力で吸着固定される鋼板又はマグネットのいずれか一方が固定されたことを特徴とする。
【０００７】
また、本発明における請求項２の点検口の取付構造は、請求項１において、前記開口部に取り付けられた前記点検口枠と前記点検口蓋とは落下防止用紐で結合されていることを特徴とする。
【発明の効果】
【０００８】
以上説明した本発明の点検口の取付構造は、建物の壁材等に形成した開口部に取り付ける点検口の取付構造であり、点検口枠は建物の開口部の内周縁を嵌合する嵌合部を有することによって、建物の開口部に嵌合構造で直接且つ簡単に取り付けることが可能であるため、下地材等を用いることなく容易に取り付けることができ、しかも点検口蓋を点検口枠にマグネットの磁力によって固定する簡単な構造としているため、耐久性に富む点検口の取付構造を得ることが可能となる。
【発明を実施するための最良の形態】
【０００９】
以下、本発明の実施例について図面を参照しながら説明する。
【実施例１】
【００１０】
図１は、本実施例の点検口枠２に点検口蓋３を取り付けた状態を示す正面図であり、図示の右上部は点検口蓋３の一部を切り欠いて、その下部の点検口枠２が見える状態にしたものである。この図に示すように、本発明の点検口の取付構造１は、建物の壁材等に点検口として形成された開口部４の内周縁４ａ（図２参照）に取り付ける点検口枠２と、該点検口枠２に着脱自在に取り付ける点検口蓋３とからなるものである。
【００１１】
なお、本実施例においては、建物の壁材５に形成した開口部４に点検口枠２を取り付ける構造として説明してある。また、本実施例の点検口の取付構造１は、四角形をなす開口部４に対応して形成されたものであり、開口部４が他の形状を有する場合、その開口部の形状に応じた形状に形成することも可能である。
【００１２】
上記構成において、点検口枠２は、図２に示すように、四角形をなす開口部４の各辺ごとに独立して嵌め込むように、各辺ごとに分割された部材（以下「分割部材２ａ、２ｂ、２ｃ、２ｄ」と云う）を有し、夫々の分割部材２ａ、２ｂ、２ｃ、２ｄの四隅は、端部ごとに４５度の傾斜辺６に形成され、各傾斜辺６、６…を付き合わせたときに連続的な四角形を成す形状としている。なお、このような点検口枠２の分割部材２ａ、２ｂ…は、四角形をなす開口部４の各辺ごとに容易に嵌め込むことができるように、開口部４の各辺よりも幾分短く形成するとよい。
【００１３】
この点検口枠２の断面構造について説明すると、図３に示すように、開口部４の内周縁４ａに沿う幅に形成された内周枠７と、開口部４の前縁を係止する前側片８と、開口部４の後縁を係止する後側片９とから成り、これらの内周枠７と前側片８と後側片９とで断面コ字形を成す嵌合部１０を構成している。ただし、本実施例においては、前側片８を後側片９よりも幅狭く形成してある。そして、このような点検口枠２の嵌合部１０で開口部４の四辺の各内周縁４ａを嵌合する。なお、この嵌合の際に開口部４の内周縁４ａと嵌合部１０の内側に接着材を充填することによって、点検口枠２をより強固に固定することができる。
【００１４】
さらに、図３に示すように、上記の点検口枠２の嵌合部１０の内側縁に沿って、壁材５の背面に沿う内側方向に延長されてなる支承片１１が形成され、この支承片１１には表面側に凹溝１１ａが長手方向に沿って形成され、この凹溝１１ａに帯状の鋼板１２が接着材等で接着されている。ただし、この鋼板１２の代わりに帯状のマグネットを固定するようにしてもよい。
【００１５】
一方、図２に示すように、点検口蓋３は蓋部材１３と該蓋部材１３の外周縁１３ａに嵌合する蓋枠１４とから構成されている。この蓋枠１４は、図３に示すように、開口部４を覆う蓋部材１３の外周縁に沿う幅に形成された外周枠１５と、蓋部材１３の前縁を係止する前側片１６と、蓋部材１３の後縁を係止する係止片１７とから成り、これらの外周枠１５と前側片１６と係止片１７とで断面コ字形を成す嵌合部１８を構成している。ただし、この蓋枠１４の嵌合部１８においては、前側片１６よりも係止片１７のほうが幅広く形成されている。このような蓋枠１４の嵌合部１８で蓋部材１３の四辺の各外周縁１３ａを嵌合する際、両者の間に接着材を充填することによって、蓋枠１４をより強固に固定することが可能となる。
【００１６】
なお、図１に示すように、四角形を成す蓋部材１３の外周縁１３ａに蓋枠１４を嵌合するため、各辺ごとに独立した蓋枠部材１４ａ、１４ｂ…を用い、各コーナーで補強金具２４を当てて接着材等で固定することにより、蓋部材１３の周囲に蓋枠１４を嵌合した状態にすることができる。このとき、図２に示すように、各蓋枠部材１４ａ、１４ｂ…を２辺ごとに補強金具２４を用いてＬ字形に結合しておき、蓋部材１３の周囲に嵌合する際に、夫々をコーナーで結合するようにしてもよい。この構成において、夫々の蓋枠部材１４ａ、１４ｂ…の端部同士が付き合わされる隅部においては、端部ごとに４５度の傾斜辺１９に形成され、各傾斜辺１９、１９を付き合わせたときに連続的な四角形を成す形状とされている。
【００１７】
また、図３に示すように、この蓋枠１４において外周枠１５の前縁から垂直外側方向に折曲形成された前縁係止片２０が形成される一方、蓋枠１４の内側縁に沿って突出した係止片１７の背面には凹溝１７ａが長手方向に沿って形成され、この凹溝１７ａに帯状のマグネット２１を接着材等で接着している。このマグネット２１は、点検口枠２の支承片１１に鋼板１２が設けられたことに対応させたもので、点検口枠２の支承片１１にマグネットが設けられた場合は、蓋枠１４の係止片１７に帯状の鋼板を設けるようにしてよい。
【００１８】
上記の構成により、図４（ａ）に示すように、点検口枠２の嵌合部１０で壁材５の開口部４の内周縁４ａを嵌合状態に取り付ける一方、蓋枠１４の嵌合部１８で蓋部材１３の外周縁１３ａを嵌合状態に取り付け、図４(ｂ)に示すように、この点検口蓋３の蓋枠１４を点検口枠２の内部に嵌めると、蓋枠１４の係止片１７のマグネット２１が点検口枠２の支承片１１の鋼板１２に磁力で吸着して固定され、開口部４を着脱自在に閉塞することが可能となる。
【００１９】
また、本実施例の点検口の取付構造においては、図５に示すように、開口部４に取り付けられた点検口枠２と点検口蓋３とを落下防止用紐２２で結合することによって、取付け作業中や地震等の振動によって落下した際の危険防止とすることができる。そのため、同図に示すように、点検口蓋３に固定した取付部材２３と点検口枠２とを落下防止用紐２２で結合する構成としている。
【産業上の利用可能性】
【００２０】
本発明の点検口の取付構造は、壁材等の建築物に形成した開口部に取り付ける点検口の取付構造であり、点検口蓋を点検口枠にマグネットの磁力によって固定する簡単な構造で構成することができ、耐久性に富み、下地材等を用いることなく容易に取り付けることができる点検口の取付構造として利用可能である。
【図面の簡単な説明】
【００２１】
【図１】本発明による実施例の点検口の取付構造を示す一部切欠き正面図である。
【図２】本発明による実施例の点検口の取付構造を示す一部を分解した正面図である。
【図３】本発明による実施例の点検口の取付構造を示す要部斜視図である。
【図４】本発明による実施例の点検口の取付構造の取付態様を示すもので、図１のＡ−Ａ線断面図であり、(ａ)は取付前の状況を示し、(ｂ)は取付状態を示す断面図である。
【図５】本発明による実施例の点検口の取付構造を示す縦断面図である。
【図６】特許文献１に係る点検口枠の断面図である。
【符号の説明】
【００２２】
１  点検口の取付構造
２  点検口枠
２ａ、２ｂ、２ｃ、２ｄ  分割部材
３  点検口蓋
４  開口部
４ａ  内周縁
５  壁材
６  傾斜辺
７  内周枠
８  前側片
９  後側片
１０  点検口枠の嵌合部
１１  支承片
１１ａ  凹溝
１２  鋼板
１３  蓋部材
１３ａ  外周縁
１４  蓋枠
１４ａ、１４ｂ、１４ｃ、１４ｄ  蓋枠部材
１５  外周枠
１６  前側片
１７  係止片
１７ａ  凹溝
１８  蓋枠の嵌合部
１９  傾斜辺
２０  前縁係止片
２１  マグネット
２２  落下防止用紐
２３  取付部材
２４  補強金具
【図１】
2007291697.tif 000003
【図２】
2007291697.tif 000004
【図３】
2007291697.tif 000005
【図４】
2007291697.tif 000006
【図５】
2007291697.tif 000007
【図６】
2007291697.tif 000008